(57)【要約】      （修正有）【課題】耐衝撃性が強く割れにくく、かつ軽くて洗い易い、シリコンとガラスを組み合わせて構成した透明な鍋蓋を提供する。【解決手段】蓋本体２と蓋本体に設置されるツマミ８を有する透明蓋１において、前記蓋本体はシリコン材部分４とシリコン材と嵌合されたガラス材部分３とを組み合わせて構成する。又、前記シリコン材部分は弾力のあるリング構造であり、前記シリコン材部分の内側にガラス材部分の外側と嵌合できる溝を設置する。前記シリコン材部分の外側の裏部に鍋本体の縁と嵌合できる環状溝を成型し、さらに前記シリコン材部分に蒸気穴を開け、蒸気穴に密封用の蓋栓５を設置する。【選択図】図１
0003162991.tif 000002
【実用新案登録請求の範囲】
【請求項１】
蓋本体と蓋本体に設置されるツマミを有する透明蓋において、前記蓋本体はシリコン材部分とシリコン材部分に嵌合されたガラス材部分により構成されることを特徴とする透明蓋。
【請求項２】
前記シリコン材部分の内側にはガラス材部分の外側と嵌合するための溝が設置されており、かつ、前記シリコン材部分の外側の裏部には鍋縁と嵌合するための環状溝が設置されていることを特徴とする請求項１に記載の透明蓋。
【請求項３】
前記透明蓋において、シリコン材部分に蒸気孔を設置し、かつ、蒸気孔を密封するための蓋栓を設置したことを特徴とする請求項１ないし請求項３のいずれかに記載の透明蓋。
【請求項４】
前記透明蓋において、前記蒸気孔を前記シリコン材部分の円周方向に２つ設置し、前記蓋栓は蒸気孔密封用の２つの弾力性のある差込部を有したΠ型のシリコン製の蓋栓であり、かつ、そのシリコン製の蓋栓は差込部を通じて着脱自在に前記シリコン材部分と接続していることを特徴とする請求項４に記載の透明蓋。
【請求項５】
前記ガラス部分が強化ガラス製であり、前記シリコン部分が耐熱食品衛生シリコンであり、かつ、前記シリコン部分がリング幅4ないし8ｃｍで断面厚みが0.4ないし0.8ｃｍであることを特徴とする請求項１ないし６のいずれかに記載の透明蓋。  
【考案の詳細な説明】
【技術分野】
【０００１】
本考案は、調理道具の鍋蓋に関し、特に、シリコンとガラスを組み合わせてなる新型の透明蓋に関する。
【背景技術】
【０００２】
日常生活の中で調理道具の透明な鍋蓋は通常ガラスを主体として、ガラスの周囲にステンレス、アルミ、或いは鉄などの金属製リングを嵌めこんだ構造とすることにより、落下・接触時の破損を防止している。
【先行技術文献】
【特許文献】
【０００３】
【特許文献１】特開２０００−２３７０５９号公報
【０００４】
【特許文献２】特開２００９−０００１８４号公報
【考案の概要】
【考案が解決しようとする課題】
【０００５】
しかし、ガラスの周りにステンレス、アルミ、或いは鉄などの金属製リングを嵌めこんだ構造の鍋蓋は使用中の耐衝撃性が十分ではない。また、長期間使用すると、汚れが金属部分の嵌め縁に溜まりやすく、かつ嵌め縁に溜まった汚れは洗いにくい。
本実用新案が解決する技術的課題は、耐衝撃性が強く割れにくい、シリコンとガラスを組み合わせて構成した透明な蓋を提供することである。また、軽くて便利で安全で、尚且つ洗いやすい蓋を提供することである。
【考案の効果】
【０００６】
本考案における課題を解決するために、本考案は、以下の技術的構成を採用しており、以下の効果を有する。
【０００７】
蓋本体と蓋本体に設置されるツマミを有する透明な蓋であって、その特徴は、前記蓋本体はシリコン材部分と、シリコン材に嵌合されたガラス材部分により構成されていることにある。シリコン材は軽く柔軟なので、本考案に係る蓋の落下・接触時の衝撃が少なく、かつ衝撃を緩和する。
【０００８】
前記シリコン材部分の内側にはガラス材部分の外側と嵌合するための溝が設置されており、かつ、前記シリコン材部分の外側の裏部には鍋縁と嵌合するための環状溝が設置されている。シリコンが柔らかいため、シリコン材部分が内側の溝でガラス材部分の縁を嵌合することができ、着脱もできる。また、シリコン材部分の外側の裏部の環状溝により、鍋蓋を安全に鍋本体にセットすることができる。
【０００９】
前記透明な蓋において、シリコン材部分に蒸気穴が開けてあり、蒸気穴の密封用の蓋栓が設置されていて、調理するとき、蓋栓を開放して水蒸気を抜き、保存する場合には、蓋栓を閉じて、密封することができる。
【００１０】
前記透明な蓋において、蒸気穴は円周に沿って２つ並べられていて、前記蓋栓はシリコン製の栓であり、蓋栓の側面は下垂部を有するΠ型状を呈している。蓋栓には蒸気穴を密封するための弾力のある下垂部たる差込部が成型してあり、前記シリコン製蓋栓は差込部を通してシリコン材部分に着脱自在に接続されている。蓋栓がシリコンで作られているため、透明蓋のシリコン材部分同様弾力があり、柔軟であり、かつ、密封性能が非常に優れている。使用するとき、一つの差込部を動かすだけで、シリコン製の蓋栓を透明蓋のシリコン材部分に設置したまま、蒸気を抜くことができ、蓋栓全体を取り外す必要がなく、使用が非常に便利になる。
【００１１】
最後に、前記ガラス材部分の材料として強化ガラスを採用する。前記シリコン材部分の材料として耐熱食品衛生シリコンを採用する。前記シリコン材部分の環状構造は幅が4-8cmで、中間の部分の厚みが0.4-0.8cmである。
【００１２】
従来技術と比べ、本考案のメリットは下記の通りである。
１．本透明蓋はシリコンと強化ガラスとの組み合わせからなり、中央部が透明ガラスで、調理中、中身の状況が見える。外側リングとして耐熱シリコンを採用しており、シリコン材部分が広いので、透明蓋全体の重量が軽くなり、使いやすくなる。
２．シリコンの保護作用で、例え当透明蓋が不注意でぶつかったり落ちたりした場合であっても、シリコン材部分が先にぶつかるので、耐衝撃性が高まり、破損を防止することができる。シリコン材部分はガラス材部分から着脱できるし、とても洗い易い。
３．シリコン材部分の外回りの裏部に鍋本体の縁と嵌合する環状溝を設計しているので、見た目が綺麗で、透明蓋を鍋本体に安全にセットすることが出来る。
４．シリコン材部分に蒸気穴とシリコンの蓋栓が設置してあり、調理するとき、開けて使う。また、保存用の場合密封することができ、透明蓋の実用性が増す。
【図面の簡単な説明】
【００１３】
【図１】本考案に係る透明蓋及び鍋本体の全体断面図であり、Ａは透明蓋を鍋本体に設置した状態を、Ｂは透明蓋を鍋本体から離した状態をそれぞれ示す。
【図２】本考案に係る蓋栓が閉じた状態の透明蓋の概念図であり、Ａは断面を、Ｂは平面をそれぞれ示す。
【図３】本考案に係る蓋栓が開いた状態の透明蓋の概念図であり、Ａは断面を、Ｂは平面をそれぞれ示す。
【図４】本考案に係るシリコン材部の全体図であり、Ａは断面を、Ｂは平面をそれぞれ示す。
【図５】本考案に係るガラス材部の全体図であり、Ａは断面を、Ｂは平面をそれぞれ示す。
【考案を実施するための形態】
【００１４】
以下、本考案の実施例について、図面を参照しながら詳細に説明していく。
図面が示すように、蓋本体2と蓋本体2に設置されるツマミ8を有する透明蓋1であって、前記の蓋本体2は中央にあるガラス材部分3とガラス材部分3の周りに嵌めて固定するシリコン材部分4が組み合わされて成っている。
【００１５】
前記のガラス材部分3は透明の強化ガラスで作られ、ガラス材部分3の外表面は滑らかで、ガラス材部分3の中心部に穴が開いてあり、ねじを使ってツマミ8をガラス材部分にセットすることができて、鍋蓋を手で持つことができる。前記のシリコン材部分4は耐熱食品衛生シリコン材料から作られ、弾力のあるリング構造に成形され、リング構造の幅が4-8cmで、中間の部分の厚みが0.4-0.8cmである。
【００１６】
前述のシリコン材部分4の内側にガラス材部分3の外側と嵌合するための溝4.1が設置されている。シリコンが柔らかいため、シリコン材部分4が内側の溝4.1でガラス材部分3と嵌合した状態でガラス材部分3の周りに設置することができ、着脱も自在である。シリコン材部分4の外側の裏部の幅が約1cmあり、置くとき蓋全体を支える作用がある。また、裏部に鍋本体の縁と嵌合できる環状溝4.2が成型してあり、透明蓋1を安全に鍋本体6にセットすることができる。
【００１７】
前述のシリコン材部分4には蒸気穴7が円周に沿って２つ並べてあり、蒸気穴には密封用の蓋栓5が設置されていて、そのシリコン製蓋栓5の側面は下垂部を有するΠ型を呈している。蓋栓5には蒸気穴を密封するための下垂部である弾力のある差込部5.1が2つ成型されていて、前記シリコン製蓋栓は差込部5.1を通してシリコン材部分4に着脱自在に設置されている。
【００１８】
調理で使用するとき、一つの差込部を動かすだけで、シリコンの栓がシリコン蓋部分に設置されたまま、蒸気を抜くことができ、栓全体を取り外す必要がなく、使用が非常に便利になる。又、保存用の場合、シリコン製蓋栓5を閉めて密封することができる。
【産業上の利用可能性】
【００１９】
本考案は、調理状態を確認しながら調理できて、軽量で破損しにくく、かつ取り外して洗浄可能な便利な透明蓋を提供するもので、実用性が高く、産業上利用可能性が大である。
【符号の説明】
【００２０】
1・・・・・透明蓋
2・・・・・蓋本体
3・・・・・ガラス材部分
4・・・・・シリコン材部分
4.1・・・・内側溝
4.2・・・・環状溝
5・・・・・蓋栓
5.1・・・・差込部
6・・・・・鍋本体
7・・・・・蒸気孔
8・・・・・ツマミ
【図１】
0003162991.tif 000003
【図２】
0003162991.tif 000004
【図３】
0003162991.tif 000005
【図４】
0003162991.tif 000006
【図５】
0003162991.tif 000007